(57)【要約】【課題】燃料集合体の燃焼度をさらに増大させた場合でも放射線被ばくを低減できる沸騰水型原子力プラントの放射線被ばく低減方法を提供する。【解決手段】ＢＷＲプラント１は、ＲＰＶ３、給水配管８及び無機酸化物粒子注入装置２５を備える。主蒸気配管５がＲＰＶ３とタービン６を連絡する。復水フィルタ９が設けられた給水配管８がＲＰＶ３と復水器７を連絡する。無機酸化物粒子注入装置２５が給水配管８に接続される。復水フィルタ９である中空子フィルタにより、ＲＰＶ３に供給される給水の鉄酸化物の濃度が１×１０-9ｍｏｌ／ｋｇ以下に抑制される。親水性無機酸化物粒子を捕集する捕集装置を原子炉浄化系の浄化系配管に設けている。この捕集装置により、コバルトの吸着性能が低下した親水性無機酸化物粒子を除去する。【選択図】図３
2011095280.tif 000002
【特許請求の範囲】
【請求項１】
原子炉と、前記原子炉に給水を供給する給水配管と、前記給水配管に設置された鉄酸化物除去装置と、コバルトイオンを吸着する親水性無機酸化物粒子を前記原子炉内に注入する無機酸化物粒子注入装置と、前記原子炉内に注入された前記親水性無機酸化物粒子を捕集する捕集装置とを備えたことを特徴とする沸騰水型原子力プラント。
【請求項２】
前記鉄酸化物除去装置は前記給水に含まれる前記鉄酸化物の濃度を１×１０-9ｍｏｌ／ｋｇ以下に低減する除去装置である請求項１に記載の沸騰水型原子力プラント。
【請求項３】
前記無機酸化物粒子注入装置を、前記給水配管、及び前記原子炉に接続された再循環系配管と前記給水配管を接続する原子炉浄化系配管のいずれかに接続した請求項１または２に記載の沸騰水型原子力プラント。
【請求項４】
前記原子炉内に水素を注入する水素注入装置を設けた請求項１ないし３のいずれか１項に記載の沸騰水型原子力プラント。
【請求項５】
前記捕集装置は、前記原子炉内で炉心より上方に配置され、前記炉心から上昇した冷却材が通過する請求項１ないし４のいずれか１に記載の沸騰水型原子力プラント。
【請求項６】
前記捕集装置は、前記原子炉に接続された再循環系配管と前記給水配管を接続する原子炉浄化系配管に接続されて前記原子炉浄化系配管に設置された浄化装置及び冷却装置をバイパスしている配管に設置されている請求項１ないし４のいずれか１に記載の沸騰水型原子力プラント。
【発明の詳細な説明】
【技術分野】
【０００１】
本発明は、沸騰水型原子力プラントに関する。
【背景技術】
【０００２】
沸騰水型原子力プラント（ＢＷＲプラント）において、定期検査時における作業員の放射線被ばくをさらに低減することは、プラント健全性の観点から重要な課題である。定期検査時における作業員の放射線被ばくの放射線源は、主に、再循環系配管及び原子炉水浄化系配管の内面に付着して蓄積したコバルト６０である。すなわち、炉水（冷却水）または給水に接する、ＢＷＲプラントの金属部材から非放射性コバルトが腐食により溶出する。この非放射性コバルトは、原子炉の炉心に設置された燃料集合体の燃料棒表面に、核沸騰に伴う濃縮効果でコバルト酸化物として析出し付着する。燃料棒表面に付着した非放射性コバルトは、燃料棒内に存在する核燃料の核分裂で発生する中性子の照射を受け、放射化されてコバルト６０になる。コバルト６０は、コバルト６０を含むコバルト酸化物の燃料棒表面からの剥離またはそのコバルト酸化物の溶出によって炉水中に移行する。このコバルト６０は、炉水が流れる配管（例えば、再循環系配管及び原子炉水浄化系配管）の内面に付着し蓄積される。コバルト６０の蓄積速度は、炉水中のコバルト６０の濃度及び配管内面の酸化皮膜成長速度に比例する。したがって、炉水中のコバルト６０濃度が低減すれば、配管内面へのコバルト６０の蓄積を抑制でき、定期検査時の作業員の放射線被ばくを低減することができる。なお、炉水は、原子炉圧力容器内、及び給水配管及び主蒸気配管以外で原子炉圧力容器に接続された配管内を流れる冷却水である。
【０００３】
特開平１０−１９７６７２号公報は、炉水中のコバルト６０の濃度を低減するために、燃料棒表面にコバルトを固定する方法を記載している。この方法は、予め燃料棒表面に三酸化二鉄（α−Ｆｅ2Ｏ3）の層を形成し、燃料棒表面に付着したコバルト酸化物（ＣｏＯ）をコバルト酸化物より溶解度の小さいコバルトフェライト（ＣｏＦｅ2Ｏ4）に形態変化させるものである。コバルトフェライトは、燃料棒表面に付着したコバルトの溶解を抑制する。燃料棒表面にコバルト６０を固定させることによって、炉水中のコバルト６０の濃度が低減される。
【０００４】
コバルトイオンは、三酸化二鉄粒子が共存する場合に、燃料棒表面への付着が促進される（Y. Asakura他、Journal of Nuclear Science and Technology, Vol.26, p.1112 (1989)参照）。すなわち、高温の炉水中では、コバルトは三酸化二鉄粒子の表面に吸着され易くなる。三酸化二鉄粒子は炉水中に２×１０-7ｍｏｌ／ｋｇ程度存在し、ＢＷＲプラントの約４年間の運転期間（一つの運転サイクル）において、燃料棒表面には０．１ｇ／ｍ2程度付着する（S. Uchida他、Journal of Nuclear Science and Technology, Vol.24, p.385 (1987)参照）。しかしながら、特開平１０−１９７６７２号公報のように、燃料棒表面にコバルトフェライトの皮膜を形成することによって炉水中のコバルト６０の濃度が低減される。
【０００５】
また、特開平５−２６４７８６号公報は、炉水中のコバルト６０の濃度を低減する他の方法として、燃料棒表面へのコバルトの付着、蓄積を抑制する技術を記載している。コバルトの燃料棒表面への付着は、炉水中の鉄酸化物濃度に比例して増加する。特開平５−２６４７８６号公報は、その現象に着目して給水の鉄濃度を０．０５ｐｐｂ以下に抑制し、原子炉内でコバルトが燃料棒表面に付着することを抑制している。さらに、炉水のｐＨを弱酸性に制御し、燃料棒表面に付着したコバルト酸化物の溶解を促進する。このような特開平５−２６４７８６号公報に記載された方法は、燃料棒表面におけるコバルトの滞在時間を低減し、非放射性コバルトが中性子照射によりコバルト６０に放射化されることを抑制する。したがって、炉水中のコバルト６０の濃度が低減される。
【０００６】
M. Saitｏ他、"Expｅrience of Ultra−Low−Crud High−Nickel Control in Onagawa Nuclear Power Station", Water Chemistry in Nuclear Reactor Systems, 22-26 April, 2002, Avignon Franceは、炉水中のコバルト６０の濃度を低減するために、給水中の鉄を極低濃度にし、ニッケルを高濃度に制御する方法を記載している。
【０００７】
特開２００４−２０５２４５号公報は、原子力プラントにおいて酸化除染及び還元除染を実施する化学除染に言及している。
【先行技術文献】
【特許文献】
【０００８】
【特許文献１】特開平１０−１９７６７２号公報
【特許文献２】特開平５−２６４７８６号公報
【特許文献３】特開２００４−２０５２４５号公報
【非特許文献】
【０００９】
【非特許文献１】Y. Asakura他、Journal of Nuclear Science and Technology, Vol.26, p.1112 (1989)
【非特許文献２】S. Uchida他、Journal of Nuclear Science and Technology, Vol.24, p.385 (1987)
【非特許文献３】M. Saitｏ他、"Expｅrience of Ultra−Low−Crud High−Nickel Control in Onagawa Nuclear Power Station", Water Chemistry in Nuclear Reactor Systems, 22-26 April, 2002, Avignon France
【発明の概要】
【発明が解決しようとする課題】
【００１０】
特開平１０−１９７６７２号公報に記載された方法は、燃料棒表面にコバルトフェライトとして固定させるため、炉水中のコバルト６０イオンの濃度を低減できる。しかしながら、その方法は、燃料棒表面のコバルトフェライトが冷却水の流れのせん断力により燃料棒表面から剥離して炉水中に移行する。このため、炉水中のコバルト６０を含む酸化物濃度が増加する。また、燃料集合体の高燃焼度化により燃料集合体の炉心滞在期間が増加すると、燃料棒表面に付着した非放射性コバルトが放射化される量が増大し、炉水中のコバルト６０イオンの濃度が増加する。
【００１１】
特開平５−２６４７８６号公報に記載された方法は、燃料棒表面に付着したコバルト酸化物の溶出を促進する操作を併せて実施しなければ、炉水中のコバルト６０イオンの濃度の低減効果が不十分となる（M. Saitｏ他、"Expｅrience of Ultra−Low−Crud High−Nickel Control in Onagawa Nuclear Power Station", Water Chemistry in Nuclear Reactor Systems, 22-26 April, 2002, Avignon France参照）。一方、燃料棒表面に付着したコバルト酸化物を溶出させるために、炉水に炭酸、窒素または一酸化二窒素を注入して炉水のｐＨを弱酸性に制御することが提案されている。しかしながら、炭酸などは、構造部材の応力腐食割れの感受性を高める可能性がる物質であるため、炉水中に注入することは好ましくない。
【００１２】
本発明の目的は、燃料集合体の燃焼度をさらに増大させた場合においても放射線被ばくをさらに低減できる沸騰水型原子炉プラントを提供することにある。
【課題を解決するための手段】
【００１３】
上記した目的を達成する本発明の特徴は、原子炉に給水を供給する給水配管と、給水配管に設置された鉄酸化物除去装置と、コバルトイオンを吸着する親水性無機酸化物粒子を原子炉内に注入する無機酸化物粒子注入装置と、原子炉内に注入された前記親水性無機酸化物粒子を捕集する捕集装置とを備えたことにある。
【００１４】
給水に含まれる鉄酸化物を除去することによって、炉心に装荷されている燃料集合体の燃料棒の表面に付着する鉄酸化物（例えば、コバルトイオンが吸着しやすい三酸化二鉄）の量を低減することができる。しかも、コバルトイオンを吸着する親水性無機酸化物粒子を炉水に注入するので、炉水中のコバルトイオンは燃料棒表面に付着しにくい親水性無機酸化物粒子に吸着される。親水性無機酸化物粒子は、炉水の沸騰によって生じる、燃料棒表面に存在するドライアウト面にも付着しにくい。したがって、燃料棒表面で中性子照射を受けて放射化される非放射性コバルトの、燃料棒表面への付着量が著しく低減されるので、燃焼度がさらに増大された燃料集合体を炉心内に装荷した場合でも、炉水中の放射性コバルトの濃度を低減することができる。これにより、沸騰水型原子力プラントの炉水が流れる配管等の表面線量率をさらに低減することができ、燃料集合体の燃焼度をさらに増大させた場合においても作業員の放射線被ばくを低減することができる。さらに、親水性無機酸化物粒子を捕集する捕集装置を備えているので、コバルトの吸着性能が低下した親水性無機酸化物粒子を除去することができる。
【００１５】
好ましくは、給水に含まれる鉄酸化物の濃度を１×１０-9ｍｏｌ／ｋｇ以下にすることが望ましい。
【発明の効果】
【００１６】
本発明によれば、燃料集合体の燃焼度をさらに増大させた場合においても作業員の放射線被ばくをさらに低減することができる。
【図面の簡単な説明】
【００１７】
【図１】本発明の好適な一実施例である実施例１のＢＷＲプラントの構成図である。
【図２】本発明の他の実施例である実施例２のＢＷＲプラントの構成図である。
【図３】本発明の他の実施例である実施例３のＢＷＲプラントの構成図である。
【図４】本発明の他の実施例である実施例４のＢＷＲプラントの構成図である。
【図５】本発明の他の実施例である実施例５の沸騰水型原子力プラントの放射線被ばく低減方法における化学除染工程を示す説明図である。
【発明を実施するための形態】
【００１８】
発明者らは、燃料集合体がさらに高燃焼度化されたときにおいて、定期検査時における作業員の放射線被ばくをより低減できる方法を検討した。この検討の内容を以下に説明する。
【００１９】
前述したように、三酸化二鉄粒子は、炉水中に２×１０-8ｍｏｌ／ｋｇ程度存在し、一つの運転サイクルにおいて燃料棒表面に０．１ｇ／ｍ2程度付着する。一方、炉水中におけるシリコン酸化物粒子の濃度は、鉄酸化物粒子の濃度よりも２桁から３桁程度高くなっている。しかし、シリコン酸化物粒子は、燃料棒表面にはほとんど付着しない。燃料棒の表面は、ジルコニウム合金（例えば、ジルカロイ）製の被覆管の表面である。前述の付着の違いは、それぞれの粒子と水との親和性の違いによる。三酸化二鉄は疎水性の無機酸化物である。疎水性の無機酸化物粒子は、核沸騰により発生した気泡の界面に移行し析出するため、気泡が脱離する際に、燃料棒表面に存在するドライアウト面に付着する。さらに、再冠水時に水に分散し難いため、疎水性の無機酸化物粒子は燃料棒表面に蓄積すると考えられる。
【００２０】
シリコン酸化物粒子は、親水性の無機酸化物であり、水への分散性が良いので燃料棒表面に付着し難いと考えられる。このため、親水性の無機酸化物粒子は、燃料棒表面に付着することなく炉水中に存在するのである。
【００２１】
前述したように、コバルトイオンは、三酸化二鉄粒子が共存する場合に、燃料棒表面への付着が促進される。炉水中におけるコバルトイオンの濃度は１×１０-9ｍｏｌ／ｋｇと希薄である。しかしながら、燃料棒の表面では核沸騰に伴う濃縮が生じるため、三酸化二鉄粒子が燃料棒表面に付着し、この付着した三酸化二鉄粒子表面にコバルトイオンが吸着される。このようにして、コバルトイオンの燃料棒表面への付着が促進されると考えられる。
【００２２】
したがって、コバルトイオンを吸着する作用のある、親水性の無機酸化物粒子を炉水中に注入し、核沸騰による濃縮効果を利用して親水性の無機酸化物粒子にコバルトイオンを吸着させることによって、燃料棒表面へのコバルトの付着を抑制することができる。すなわち、コバルトを炉水中に存在させることによって、中性子照射によるコバルトの放射化を抑制できるため、炉水中のコバルト６０の濃度を低減できる。
【００２３】
但し、三酸化二鉄が多量に炉水中に存在すると、三酸化二鉄がコバルトイオンを吸着して燃料棒表面に付着する。三酸化二鉄の燃料棒表面への付着を避けるために、給水中における鉄酸化物粒子の濃度を１×１０-9ｍｏｌ／ｋｇ以下に抑制する必要がある。
【００２４】
好ましくは、炉水中に水素を注入して原子炉内構造物の腐食を抑制して三酸化二鉄の発生を抑制することが望ましい。さらには、ＢＷＲプラントを構成する構造部材の炉水と接する表面に付着した三酸化二鉄の一部又は全部を除去して、その表面に付着した三酸化二鉄の炉水への移行を抑制することが望ましい。構造部材の表面に付着した三酸化二鉄の一部又は全部の除去は、シュウ酸などを利用して化学的に三酸化二鉄を溶解させる化学除染、及び機械的な研磨等によって行うことができる。
【００２５】
炉水中の親水性の無機酸化物粒子の濃度は、１×１０-9ｍｏｌ／ｋｇから２×１０-7ｍｏｌ／ｋｇの範囲に制御することが望ましい。これは、炉水中における親水性の無機酸化物粒子の濃度が１×１０-9ｍｏｌ／ｋｇ以上になると、炉水中の三酸化二鉄粒子の濃度よりも高くなり、親水性の無機酸化物粒子へのコバルトの吸着が促進されるためである。無機酸化物粒子は研磨剤となる恐れがある。無機酸化物粒子が炉水中に多量に存在する場合には、無機酸化物粒子が再循環ポンプ、及び炉水浄化系配管に設置された浄化系ポンプ（図示せず）のそれぞれの回転軸と軸受けの間に入り込み、回転軸の表面及び軸受けの内面を傷つける確率が増大する。この確率を抑制するため、炉水中の無機酸化物粒子の濃度は２×１０-7ｍｏｌ／ｋｇ以下に制御することが望ましい。
【００２６】
炉水に注入する親水性の無機酸化物粒子としては、タングステン酸化物及びアナターゼ型のチタン酸化物がある。チタン酸化物は光照射を受けると親水性になる性質があり、アナターゼ型のチタン酸化物は他の結晶構造のチタン酸化物よりもコバルトの吸着性が高い。このため、親水性の無機酸化物粒子としてアナターゼ型のチタン酸化物を用いることがより好ましい。
【００２７】
親水性の無機酸化物粒子は、粒子表面が親水性であれば良いので、アナターゼ型のチタン酸化物を被覆した無機酸化物粒子でも良い。アナターゼ型のチタン酸化物で被覆される無機酸化物としては、放射化し難い無機酸化物及び放射化しても影響の小さい無機酸化物が望ましい。この無機酸化物として鉄酸化物及びジルコニウム酸化物が挙げられる。チタンより中性子吸収断面積が小さい無機酸化物は、中性子経済の観点からチタン酸化物よりも好ましい。さらに、無機酸化物粒子の替りに放射化されにくい無機粒子の表面に親水性無機酸化物粒子を被覆して構成されたコバルト吸着粒子を用いることも可能である。
【００２８】
親水性の無機酸化物粒子の粒径は２μm以上で１００μm以下が望ましい。親水性の無機酸化物粒子の粒径を２μm以上にすることによって、フィルタでのその粒子の捕集、回収性が向上する。炉水から、適時、コバルトを吸着した親水性無機酸化物粒子を除去することにより、炉水の放射性コバルト濃度を低減できる。
【００２９】
以上の検討を行った結果、発明者らは、原子炉内に供給する給水に含まれる鉄酸化物の濃度を１×１０-9ｍｏｌ／ｋｇ以下に抑制し、コバルトイオンを吸着する親水性の無機酸化物粒子を炉水中に注入すれば、炉水中のコバルト６０イオンの濃度を低減することができることを新たに見出した。
【００３０】
以上の検討結果に基づいて成された、本発明の実施例を以下に説明する。
【実施例１】
【００３１】
本発明の好適な一実施例である実施例１の沸騰水型原子力プラント（ＢＷＲプラント）の放射線被ばく低減方法を、図１を用いて説明する。
【００３２】
本実施例のＢＷＲプラント１は、原子炉２、タービン６、復水器７、給水配管８及び無機酸化物粒子注入装置２５を備えている。原子炉２は、原子炉圧力容器（以下、ＲＰＶという）３及びＲＰＶ３内に配置された炉心４を有する。複数の燃料集合体（図示せず）が炉心４に装荷されている。燃料集合体は、核燃料物質で構成された複数の燃料ペレットをジルコニウム合金製の被覆管内に充填している複数の燃料棒を有する。複数のジェットポンプ（図示せず）がＲＰＶ３と炉心４の間に形成された環状のダウンカマ内に配置されている。ＲＰＶ３に接続された主蒸気配管５はタービン６に接続される。給水配管８は、復水器７とＲＰＶ３を連絡している。復水フィルタ９、復水脱塩器１０、給水ポンプ１１及び給水加熱器１２が、この順に上流より給水配管８に設置される。復水フィルタ９は中空子フィルタである。主蒸気配管５に接続される抽気蒸気配管１３が給水加熱器１２に接続されている。水素注入装置２２が、復水脱塩器１０と給水ポンプ１１の間で給水配管８に接続される。無機酸化物粒子注入装置２５が、無機酸化物粒子タンク１９、注入ポンプ２０及び注入配管２１を有する。注入ポンプ２０が設置された注入配管２１が無機酸化物粒子タンク１９と給水配管８を接続する。注入配管２１は、水素注入装置２２の給水配管８の接続点と給水加熱器１２との間で、給水配管８に接続されている。
【００３３】
ＢＷＲプラント１に設けられる再循環系は、再循環系配管１４及び再循環系配管１４に設けられる再循環ポンプ１５を有している。再循環系配管１４の一端は、ＲＰＶ３に設けられたノズル（図示せず）に接続され、ダウンカマに連絡される。再循環系配管１４の他端は、ＲＰＶ３のダウンカマ内に配置されてジェットポンプのノズルに接続されるライザ管（図示せず）に接続される。炉水浄化系は、炉水浄化系配管１６、炉水浄化装置１７及び熱交換器１８を有する。炉水浄化系配管１６は再循環系配管１４と給水配管８に接続される。炉水浄化装置１７及び熱交換器１８は炉水浄化系配管１６に設置される。更に、サンプリング配管２３が、水素注入装置２２の給水配管８の接続点と復水器７との間で、給水配管８に接続されている。サンプリング配管２４が炉水浄化系配管１６に接続される。
【００３４】
ＢＷＲプラントが運転されているとき、再循環ポンプ１５の駆動によりＲＰＶ３内のダウンカマから再循環系配管１４内に吸引された炉水は、再循環ポンプ１５で昇圧され、ライザ管を通ってジェットポンプのノズルら噴出される。ノズルの周囲でダウンカマ内に存在する炉水が、その噴出流によってジェットポンプ内に吸い込まれ、ジェットポンプから吐出される。ジェットポンプから吐出された炉水は、炉心４内に導かれ、燃料集合体内の核燃料物質の核分裂によって発生する熱で加熱され、一部が蒸気になる。この蒸気は、ＲＰＶ３内の気水分離器（図示せず）及び蒸気乾燥器（図示せず）で水分を除去されて主蒸気配管５を通ってタービン６に導かれ、タービン６を回転させる。タービン６に連結された発電機（図示せず）が回転して電力が発生する。タービン６から排出された蒸気は、復水器７で凝縮される。この凝縮によって発生した水は、給水として、給水ポンプ１１で昇圧されて給水配管８を通ってＲＰＶ３内のダウンカマに供給される。
【００３５】
給水は、給水配管８内を流れる間に、復水フィルタ９、復水脱塩器１０及び給水加熱器１２を通過する。復水フィルタ９は、復水器７内で発生し、給水に含まれている腐食生成物（例えば、鉄酸化物）を除去する。復水フィルタ９としては中空子フィルタを用いている。中空子フィルタは除鉄性能が高いので、給水に含まれる鉄酸化物の濃度は、１×１０-9ｍｏｌ／ｋｇ以下に抑制される。このため、給水と共にＲＰＶ３内に持ち込まれる鉄酸
化物の濃度が低下する。復水脱塩器１０は、復水器７において伝熱管内を流れて蒸気の凝縮に使用される海水が漏洩したとき、海水成分（ナトリウムイオン及び塩化物イオン）がＲＰＶ３内に入り込むのを防ぐためにその海水成分を除去する。抽気蒸気配管１３は、主蒸気配管５内を流れる蒸気の一部を抽気する。給水加熱器１２は、主蒸気配管５によって抽気された蒸気を用いて給水配管８内を流れる給水を加熱する。加熱された給水がＲＰＶ３内に供給される。
【００３６】
ＲＰＶ３内の炉水は、再循環系配管１４を経て炉水浄化系配管１６内に導かれる。この炉水に含まれた不純物（放射性核種を含む酸化物等）が炉水浄化装置１７で除去され、給水配管８を介してＲＰＶ３に戻される。炉水は、炉水浄化装置１７に供給する際に、熱交換器（再生熱交換器）１８及び非再生熱交換器（図示せず）によって冷却される。
【００３７】
ＢＷＲプラントの運転中、水素注入装置２２から水素が給水配管８内を流れる給水に注入される。注入された水素は給水と共にＲＰＶ３内に導かれる。この水素は、ＲＰＶ３内で炉水中に存在する酸素及び過酸化水素と反応し、水を生成する。このため、炉水に含まれる酸素及び過酸化水素のそれぞれの量が減少される。結果として、ＲＰＶ３、再循環系配管１４及び炉水浄化系配管１６内での鉄酸化物の生成が抑制される。
【００３８】
親水性の無機酸化物粒子、例えば、アナターゼ型チタン酸化物粒子の懸濁液が無機酸化物粒子タンク１９内に充填されている。その懸濁液に含まれているアナターゼ型チタン酸化物粒子の粒径は２μｍである。無機酸化物粒子タンク１９内のその懸濁液が注入ポンプ２０を駆動することによって注入配管２１を通して給水配管８内を流れる給水に注入される。その懸濁液に含まれるアナターゼ型チタン酸化物粒子が、給水配管８を通ってＲＰＶ３内に供給される。
【００３９】
アナターゼ型チタン酸化物粒子の懸濁液の注入量調節について、説明する。給水の一部が、給水配管８からサンプリング配管２３を通して採取される。採取した給水を分析することによって、給水に含まれる鉄酸化物及び硫酸イオンなどの濃度が測定される。この測定により鉄酸化物濃度が１×１０-9ｍｏｌ／ｋｇ以下になっていることを確認することができる。測定された硫酸イオン濃度はＢＷＲプラントの運転管理に用いられる。炉水浄化系配管１６内を流れる炉水の一部が、サンプリング配管２４によって採取される。炉水に含まれる鉄酸化物、親アナターゼ型チタン酸化物粒子及び硫酸イオンなどの濃度が、採取された炉水を分析することによって測定される。
【００４０】
親水性無機酸化物粒子を給水に注入して、炉水中の親水性無機酸化物粒子の濃度を所定濃度に調節する場合、式（１）から求められた懸濁液の設定注入流量Ｆtank（ｔ/ｈ）に基づいて、親水性無機酸化物粒子の懸濁液の、無機酸化物粒子タンク１９から給水配管８内を流れる給水への注入流量を制御する。注入設定流量Ｆtank（ｔ/ｈ）に基づいた注入流量の制御は、注入ポンプ２０の回転速度（または注入配管２１に設けられた流量調節弁の開度）を制御することによって行われる。なお、式（１）を用いて設定注入流量Ｆtankを最初に算出する場合には、ファクターｆを１と仮定する。
【００４１】
Ｆtank＝ｆ×ＣRWset×ＦRWCU／Ｃtank                  ……（１）
ただし、ＦRWCUは炉水浄化系配管１６内を流れる炉水の流量（ｔ/ｈ）、ＣRWsetは炉水中の親水性無機酸化物粒子の設定濃度（ｍｏｌ／ｋｇ）、及びＣtankは無機酸化物粒子タンク１９内の懸濁液に含まれる親水性無機酸化物粒子の濃度（ｍｏｌ／ｋｇ）である。設定濃度ＣRWsetは、１×１０-9ｍｏｌ／ｋｇから２×１０-7ｍｏｌ／ｋｇの範囲に含まれる濃度であり、本実施例では例えば２×１０-7ｍｏｌ／ｋｇとする。したがって、炉水中のアナターゼ型チタン酸化物粒子の濃度が２×１０-7ｍｏｌ／ｋｇに制御される。
【００４２】
サンプリング配管２４を通して炉水浄化系配管１６内を流れる炉水の一部を採取して、採取された炉水に含まれる親水性無機酸化物粒子の濃度、すなわち、アナターゼ型チタン酸化物粒子の濃度が分析される。運転員は、その分析によって得られた、炉水に含まれるアナターゼ型チタン酸化物粒子の濃度が設定濃度ＣRWsetになっていることを確認する。
炉水に含まれるアナターゼ型チタン酸化物粒子の濃度が設定濃度ＣRWsetになっていない場合は、式（２）を用いてファクターｆを算出し、このファクターｆを式（１）に代入して（１）式により無機酸化物粒子タンク１９から給水に注入するアナターゼ型チタン酸化物粒子の懸濁液の設定注入流量Ｆtankを再度算出する。
【００４３】
ｆ＝ＣRWset／ＣRWmeas                                    ……（２）
ここで、ＣRWmeasは分析によって得られた、炉水に含まれる親水性無機酸化物粒子の測定濃度（ｍｏｌ／ｋｇ）である。
【００４４】
再度算出された設定注入流量Ｆtankに基づいて、前述したように、無機酸化物粒子タンク１９から給水へのアナターゼ型チタン酸化物粒子の懸濁液の注入流量を制御する。サンプリング配管２４により採取された炉水に含まれる中のアナターゼ型チタン酸化物粒子の濃度が設定濃度ＣRWsetになるまで、式（１）及び式（２）を用いて設定注入流量Ｆtankを算出し、得られた設定注入流量Ｆtankに基づいたその懸濁液の注入流量の制御が繰り返される。
【００４５】
本実施例によれば、復水フィルタ９に中空子フィルタを用いているので、給水に含まれる鉄酸化物の濃度を１×１０-9ｍｏｌ／ｋｇ以下に抑制することができ、ＲＰＶ３内に給水配管８より持ち込まれる鉄酸化物の濃度を低減することができる。このため、炉水に含まれる三酸化二鉄粒子の濃度が非常に少なくなり、炉心滞在期間が長くなる高燃焼度化された燃料集合体の寿命期間においてこの燃料集合体の燃料棒表面に付着する三酸化二鉄粒子の量が極めて少なくなる。さらに、本実施例は、親水性無機酸化物粒子、すなわち、アナターゼ型チタン酸化物粒子を、給水配管８を介してＲＰＶ３内に注入しているので、炉水に含まれる非放射性コバルトが燃料棒表面のドライアウト面に付着し難いアナターゼ型チタン酸化物粒子の表面に付着する。したがって、中空子フィルタによる鉄酸化物の除去及び親水性無機酸化物粒子の注入によって、さらに高燃焼度化された燃料集合体が炉心４に装荷された場合であっても、非放射性コバルトが燃料棒表面、すなわち、その表面のドライアウト面にも付着しないので、非放射性コバルトが放射化される確率が著しく低下する。炉水に含まれる放射性コバルトも、アナターゼ型チタン酸化物粒子の表面に付着する。
【００４６】
以上の理由により、炉水中の放射性コバルトの濃度を低減することができる。したがって、再循環系配管１４及び炉水浄化系配管１６等の炉水が流れる、ＢＷＲプラントの配管の内面、ＲＰＶ３の内面及びＲＰＶ３内に設置された炉内構造物の表面に付着する放射性コバルト（例えば、コバルト６０）の量を低減することができる。さらに高燃焼度化された燃料集合体が炉心４に装荷された場合においても、その配管及びＲＰＶ３の表面線量率を低減することができ、ＢＷＲプラントの運転停止時において定期検査を実施する作業員の放射線被ばくをさらに低減することができる。
【００４７】
本実施例は、炉水に含まれるアナターゼ型チタン酸化物粒子の濃度を、１×１０-9ｍｏｌ／ｋｇから２×１０-7ｍｏｌ／ｋｇの範囲に含まれる２×１０-7ｍｏｌ／ｋｇに制御するので、アナターゼ型チタン酸化物粒子へのコバルトの吸着が促進され、炉水中の放射性コバルトの濃度がより低減される。また、前述したように、アナターゼ型チタン酸化物粒子によって、再循環ポンプ１５及び炉水浄化系配管１６に設けられた浄化系ポンプ（図示せず）のそれぞれの回転軸表面及び回転軸を支える軸受け内面に傷が付けられる恐れが著しく小さくなる。
【００４８】
復水フィルタ９として、中空子フィルタの替りに、粉末イオン交換樹脂をろ過剤として用いたパウデックスフィルタを用いてもよい。中空子フィルタ及びパウデックスフィルタは、給水に含まれる鉄酸化物の濃度を１×１０-9ｍｏｌ／ｋｇ以下にする鉄酸化物除去装置である。
【実施例２】
【００４９】
本発明の他の実施例である実施例２のＢＷＲプラントの放射線被ばく低減方法を、図２を用いて説明する。本実施例の放射線被ばく低減方法に用いられるＢＷＲプラント１Ａは、無機酸化物粒子注入装置２５を、給水配管８ではなく炉水浄化系配管１６に接続している。無機酸化物粒子注入装置２５の注入配管２５が炉水浄化系配管１６に接続されている。本実施例のＢＷＲプラント１Ａにおける他の構成は、実施例１のＢＷＲプラント１の構成と同じである。本実施例におけるアナタ−ゼ型チタン酸化物粒子の給水への注入は、実施例１と同様に制御される。本実施例では、無機酸化物粒子注入装置２５が炉水浄化系配管１６に接続されているので、アナタ−ゼ型チタン酸化物粒子は炉水浄化系配管１６及び給水配管８を経由してＲＰＶ３内に導かれる。
【００５０】
本実施例も、実施例１で生じる効果を得ることができる。
【実施例３】
【００５１】
本発明の他の実施例である実施例３のＢＷＲプラントの放射線被ばく低減方法を、図３を用いて説明する。本実施例の放射線被ばく低減方法に用いられるＢＷＲプラント１Ｂは、実施例１のＢＷＲプラント１に、フィルタ２６及び分岐配管２７を追加した構成を有する。炉水浄化装置１７及び熱交換器１８をバイパスする分岐配管２７は、両端部が炉水浄化系配管１６に接続されている。フィルタ２６は分岐配管２７に設置される。
【００５２】
本実施例は、復水フィルタ９に中空子フィルタを用いているので、給水に含まれる鉄酸化物の濃度を１×１０−９ｍｏｌ／ｋｇ以下に抑制することができる。このため、ＲＰＶ３内の炉水に含まれる鉄酸化物の濃度が低減される。本実施例も、ＢＷＲプラント１Ｂの運転中において、無機酸化物粒子注入装置２５から給水配管８内にアナターゼ型チタン酸化物粒子が注入され、このアナターゼ型チタン酸化物粒子が給水と共にＲＰＶ３内に導かれる。炉水に含まれるコバルト（非放射性コバルト及び放射性コバルト）を吸着したアナターゼ型チタン酸化物粒子が、炉水と共にＲＰＶ３内から再循環系配管１４及び炉水浄化系配管１６を経て分岐配管２７内に達する。分岐配管２７内に流入したアナターゼ型チタン酸化物粒子は、フィルタ２６で除去される。
【００５３】
炉水浄化装置（例えば、脱塩器）１７に供給される炉水は、再生熱交換器である熱交換器１８、及び炉水浄化系配管１６に設けられた非再生熱交換器（図示せず）によって１００℃以下に冷却される。炉水浄化装置１７から排出された炉水は、熱交換器１８で加熱されて温度が上昇する。熱交換器１８及び非再生熱交換器による熱交換に伴って原子炉浄化系において熱損失が生じる。しかしながら、フィルタ２６として金属焼結体フィルタ等の高温で使用できるフィルタを用いることによって、炉水の一部を高温のまま分岐配管２７を通して循環させて、熱損失を少なくして炉水に含まれているアナターゼ型チタン酸化物粒子をフィルタ２６で捕集できる。さらに、炉水浄化装置１７に供給する炉水の流量を減らし、分岐配管２７に導く炉水の流量を増加させれば、より少ない熱損失で炉水中のコバルトイオン濃度を低減できる。
【００５４】
本実施例における親水性無機酸化物粒子の給水への注入制御を、以下に説明する。ファクターｆを１と仮定して式（３）を用いて求められた懸濁液の設定注入流量Ｆtank（ｔ/ｈ）に基づいて、アナターゼ型チタン酸化物粒子の懸濁液の、無機酸化物粒子タンク１９から給水配管８内の給水への注入流量を制御する。この制御は、注入ポンプ２０の回転速度（または注入配管２１に設けられた流量調節弁の開度）を制御することによって行われる。
【００５５】
Ｆtank＝ｆ×ＣRWset×（ＦRWCU＋Ｆbranch）／Ｃtank        ……（３）
ただし、Ｆbranchは分岐配管２７を流れる炉水の流量（ｔ/ｈ）である。
【００５６】
実施例１と同様に、サンプリング配管２４から採取された炉水に含まれるアナターゼ型チタン酸化物粒子の濃度が分析される。この分析によって得られた、炉水に含まれる中のアナターゼ型チタン酸化物粒子の濃度が設定濃度ＣRWsetになっていない場合は、式（２）を用いてファクターｆを算出し、このファクターｆを式（３）に代入して式（３）により無機酸化物粒子タンク１９から給水に注入されるアナターゼ型チタン酸化物粒子の懸濁液の設定注入流量Ｆtankを再度算出する。再度算出された設定注入流量Ｆtankに基づいて、無機酸化物粒子タンク１９から給水へのアナターゼ型チタン酸化物粒子の懸濁液の注入流量を制御する。
【００５７】
本実施例も、実施例１で生じる効果を得ることができる。本実施例は、コバルトの吸着性能が低下したアナターゼ型チタン酸化物粒子を除去することができる。また、炉水を冷却する前の高温状態でフィルタ２６に供給することができるので、少ない熱損失で、炉水中の放射性コバルトの濃度を低減できる。このため、ＢＷＲプラントの発電効率を増大させることができる。
【実施例４】
【００５８】
本発明の他の実施例である実施例４の沸騰水型原子力プラント（ＢＷＲプラント）の放射線被ばく低減方法を、図４を用いて説明する。本実施例の放射線被ばく低減方法に用いられるＢＷＲプラント１Ｃは、実施例３で用いられるフィルタ２６を炉心４の上方に配置されたシュラウドヘッド（図示せず）に設置される。炉心４に装荷された複数の燃料集合体の上端部を保持する上部格子板（図示せず）が、ＲＰＶ３内に配置され、炉心４を取り囲む炉心シュラウドに取り付けられる。シュラウドヘッドは、上部格子板を覆うように、炉心シュラウドの上端部に設置される。フィルタ２６は、上部格子板よりも上方でシュラウドヘッド内に配置されている。フィルタ２６は、炉心４で加熱されて上昇する炉水に含まれたコバルトを除去する。
【００５９】
本実施例は、実施例３で生じる効果を得ることができる。フィルタ２６は、ＢＷＲプラントの運転が停止された後、燃料交換を行うためにＲＰＶ３内から取り出されるシュラウドヘッドと共にＲＰＶ３の外に取り出すことができる。このため、取り出されたシュラウドヘッドが置かれる機器仮置きプール内で、シュラウドヘッドに取り付けられたフィルタ２６を遠隔操作により新しいフィルタ２６と交換することができる。機器仮置きプール内には放射線を遮蔽する冷却水が充填されている。
【実施例５】
【００６０】
本発明の他の実施例である実施例５のＢＷＲプラントの放射線被ばく低減方法を、図５を用いて説明する。本実施例の放射線被ばく低減方法に用いられるＢＷＲプラントは実施例１で用いられるＢＷＲプラント１である。本実施例では、ＲＰＶ３内に設置された炉心シュラウド及びジェットポンプ等の炉内構造物の表面及び再循環系配管１４の内面の除染を行い、その後に、実施例１で述べた放射線被ばく低減方法を実施する。
【００６１】
本実施例で実行される化学除染方法を以下に説明する。本実施例で実行される化学除染方法に用いられる化学除染装置３１は、例えば、特開２００４−２０５２４５号公報の図１に示された化学除染装置である。ＢＷＲプラント１の運転が停止された後、ＢＷＲプラント１の定期検査が実施される。この定期検査を実施する際に、ＲＰＶ３の蓋が取り外され、蒸気乾燥器、及び気水分離器が取り付けられたシュラウドヘッドがＲＰＶ３内から取り出される。炉心４内に装荷された全燃料集合体がＲＰＶ３の外に取り出され、原子炉建屋内の燃料貯蔵プール（図示せず）に保管される。化学除染装置３１の循環配管３２の一端が、ＲＰＶ３の底部に接続されたドレン配管２８に、弁２９と弁３０の間で接続される。弁２９，３０はドレン配管２８に設置されている。その循環配管３２の多端はスプレイ３３に接続される。このスプレイ３３はＲＰＶ３内で炉心４の上方に配置される。化学除染装置３１は、特開２００４−２０５２４５号公報の図１に示されているように、循環配管３２に、シュウ酸溶液タンク、ヒドラジン溶液タンク、過マンガン酸カリウムタンク及び過酸化水素水タンクに接続している。さらに、ルテニウムを活性炭に添着した触媒が充填された触媒塔が循環配管３２に接続される。
【００６２】
上記の構成を有する化学除染装置３１を用いて、特開２００４−２０５２４５号公報の図３に示された工程（１）〜（６）の昇温工程、酸化除染工程、酸化除染剤分解工程、還元除染工程、還元除染剤分解工程及び浄化工程が実施される。工程（１）〜（６）は少なくとも二回実施される。酸化除染工程では、過マンガン酸カリウムタンク内の過マンガン酸カリウム溶液（酸化除染液）が循環配管３２を通りスプレイ３３からＲＰＶ３内に噴射される。このとき、再循環ポンプ１５が駆動されているので、過マンガン酸カリウム溶液は、再循環系配管１４及びジェットポンプ内を流れる。炉水浄化系配管１６の入口は弁（図示せず）で封鎖されており、再循環系配管１４内を流れる過マンガン酸カリウム溶液は、炉水浄化系配管１６内に流入しない。ＲＰＶ３内の過マンガン酸カリウム溶液はドレン配管２８及び循環配管３２を通って化学除染装置３１に戻される。このような過マンガン酸カリウム溶液の流動によって、ＲＰＶ３の内面、ＲＰＶ３内に配置された炉内構造物の表面及び再循環系配管１４の内面等の酸化除染が実施される。このとき、弁２９は開いており、弁３０は閉じている。
【００６３】
還元除染工程では、シュウ酸溶液タンク内のシュウ酸溶液（還元除染液）が、ヒドラジン溶液タンクから供給されるヒドラジンを含み、循環配管３２を通ってスプレイ３３からＲＰＶ３内に噴射される。再循環ポンプ１５が駆動されているので、ヒドラジンを含むシュウ酸溶液が、再循環系配管１４内等を流れる。ヒドラジンを含むシュウ酸溶液も、炉水浄化系配管１６内に流入しない。ＲＰＶ３内のヒドラジンを含むシュウ酸溶液はドレン配管２８及び循環配管３２を通って化学除染装置３１に戻される。このようにして、ＲＰＶ３の内面、ＲＰＶ３内に配置された炉内構造物の表面及び再循環系配管１４の内面等の還元除染が実施される。
【００６４】
還元除染工程の後に、還元除染剤（シュウ酸）分解工程及び浄化工程が実施される。化学除染終了後から燃料集合体の装荷前の間で、ＲＰＶ３内の水が新しい水と交換される。
化学除染の実施後で、ＢＷＲプラント１の定期検査が終了したとき、ＲＰＶ３の炉心４内に燃料集合体が装荷される。その後、シュラウドヘッド及び蒸気乾燥器がＲＰＶ３内に設置され、蓋がＲＰＶ３に取り付けられる。ＢＷＲプラント１の運転が開始され、実施例１で述べた給水からの鉄酸化物の除去及び炉水へのアナターゼ型チタン酸化物粒子の注入が行われる。
【００６５】
本実施例は、給水からの鉄酸化物の除去及び炉水へのアナターゼ型チタン酸化物粒子の注入を行っているので、実施例１で生じる効果を得ることができる。本実施例は、炉水へのアナターゼ型チタン酸化物粒子の注入を行う前に、化学除染を行っているので、ＲＰＶ３の内面、ＲＰＶ３内に配置された炉内構造物の表面及び再循環系配管１４の内面に付着した鉄酸化物、特に、三酸化二鉄を事前除去することができる。このため、ＢＷＲプラントの運転中において、燃料棒表面に付着する鉄酸化物、特に、三酸化二鉄の量が非常に少なくなり、放射性コバルトの生成量が非常に少なくなる。これは、定期検査時において作業員の放射線被ばくを実施例１よりもさらに低減することができる。
【００６６】
本実施例で実施した化学除染は、実施例２ないし４でも実施することが可能である。
【符号の説明】
【００６７】
１，１Ａ，１Ｂ，１Ｃ…沸騰水型原子力プラント、２…原子炉、３…原子炉圧力容器、４…炉心、５…主蒸気配管、６…タ−ビン、７…復水器、８…給水配管、９…復水フィルタ、１１…給水ポンプ、１４…再循環系配管、１５…再循環ポンプ、１６…炉水浄化系配管、１７…炉水浄化装置、１９…無機酸化物粒子タンク、２０…注入ポンプ、２２…水素注入装置、２３，２４…サンプリング配管、２５…無機酸化物粒子注入装置、２６…フィルタ、３１…化学除染装置、３３…スプレイ。
【図１】
2011095280.tif 000003
【図２】
2011095280.tif 000004
【図３】
2011095280.tif 000005
【図４】
2011095280.tif 000006
【図５】
2011095280.tif 000007